(57)【特許請求の範囲】
【請求項１】
細長い大きさを有し且つ発光ダイオード回路構成を含むプリント回路板であって、
当該プリント回路板の一部は、少なくとも１つの方向において可撓であり、前記発光ダイオード回路構成は、発光ダイオード回路と、他の回路構成とを含み、該他の回路構成は、ディスプレイに周辺光をもたらすよう前記発光ダイオード回路を個別に駆動するためのドライバを含み、前記発光ダイオード回路のうちの少なくとも１つの発光ダイオード回路のための色情報を記憶するためのメモリを更に含み、
各発光ダイオード回路は、１つ又はそれよりも多くの発光ダイオードを含み、前記発光ダイオードにより、前記ディスプレイの周辺の壁に向けて照射される周辺光を前記ディスプレイの側面方向及び背面方向の少なくとも一つに出射する、
プリント回路板と、
前記ディスプレイと、
を含む装置。
【請求項２】
各発光ダイオード回路は、周辺光をもたらすために１つ又はそれよりも多くの発光ダイオードを含む、請求項１に記載の装置。
【請求項３】
前記プリント回路板の第１の片は、第１の装置部分の第１の平面に取り付けられ、前記プリント回路板の第２の片は、第２の装置部分の第２の平面に取り付けられ、前記第１及び第２の片は、相互接続部を介して相互接続される別個の片である、請求項２に記載の装置。
【請求項４】
前記プリント回路板の第１の片は、装置部分の第１の側部に取り付けられ、前記プリント回路板の第２の片は、前記装置部分の第２の側部に取り付けられ、前記第１及び第２の側部は、異なる側部であり、前記プリント回路板の第３の片が、前記装置部分の縁部又は隅部の周りを進む湾曲を成し、前記第３の片は、前記第１及び第２の片の間の中間片である、請求項２に記載の装置。
【請求項５】
周辺光を方向付けるために、前記プリント回路板の少なくとも一部が可動構造に取り付けられる、請求項２から４のいずれか１項に記載の装置。
【請求項６】
周辺光を反射するための反射器を具備しない請求項２から５のいずれか１項に記載の装置。
【請求項７】
前記プリント回路板は、装置部分又は構造に接着的な方法で取り付けられる、請求項２から６のいずれか１項に記載の装置。
【請求項８】
前記発光ダイオード回路構成によって覆われる前記プリント回路板の領域の可撓性は、前記可撓な部分よりも少なく、前記少なくとも１つの方向は、第１の方向を含み、且つ、該第１の方向と異なる第２の方向を含み、前記第１の方向は、前記プリント回路板が長さ
方向において湾曲し得るよう長さ方向であり、前記第２の方向は、前記プリント回路板が幅方向において湾曲し得るよう幅方向である、請求項１から７のいずれか１項に記載の装置。
【請求項９】
前記長さ方向における湾曲は、前記プリント回路板が巻き上げられることを可能にし、或いは、縁部又は隅部の周りで曲げられることを可能にし、前記幅方向における湾曲は、前記プリント回路板が更なる縁部又は更なる隅部の周りで曲げられることを可能にする、請求項８に記載の装置。
【請求項１０】
前記プリント回路板は、ネジ用の如何なる孔を含まない、請求項１から９のいずれか１項に記載の装置。
【発明の詳細な説明】
【技術分野】
【０００１】
本発明はプリント回路板に関する。本発明はそのようなプリント回路板を含む装置にも関する。
【０００２】
そのようなプリント回路板の実施例は、横長の(oblong)プリント回路板である。そのような装置の実施例は、消費者製品及び他の種類の製品である。
【背景技術】
【０００３】
ＷＯ２００５／０８８３９０は、ディスプレイを含み、一次放射線及び二次放射線を生成するための照明ユニットを含み、且つ、雰囲気(aura)放射線を生成するために二次放射線をフィルタリングするためのフィルタリングユニットを含む、ディスプレイ装置を開示している。
【０００４】
ＵＳ２００８／００６７５２６は、改良された確実性及び熱消散を有する可撓回路を開示している。
【０００５】
ＤＥ１０２００７０２３６５１は、照明構成を開示している。
【発明の概要】
【発明が解決しようとする課題】
【０００６】
ディスプレイ用の周辺光を提供するための発光ダイオード回路を含む装置の比較的効率的な製造プロセスのためのプリント回路板を提供することが本発明の目的である。本発明の更なる目的は、そのようなプリント回路板を含む装置を提供することである。
【課題を解決するための手段】
【０００７】
本発明の第１の特徴によれば、細長い大きさ(oblong
size)を有し且つ発光ダイオード回路構成を含むプリント回路板が提供され、プリント回路板の一部は、少なくとも１つの方向において可撓であり、発光ダイオード回路構成は、発光ダイオード回路と、他の回路構成とを含み、他の回路構成は、ディスプレイに周辺光をもたらすよう発光ダイオード回路を個別に駆動するためのドライバを含み、発光ダイオード回路のうちの少なくとも１つの発光ダイオード回路のための色情報を記憶するためのメモリを更に含む。
【０００８】
発光ダイオード回路構成を備え且つ可撓部分を備える細長いプリント回路板は、ディスプレイ用の周辺光を提供するための発光ダイオード回路を含む装置の製造プロセスの効率を向上する。細長い大きさ及び可撓性の組み合わせは、設計の自由度を増大し、より多くの可能性をもたらし、より大きな公差を許容し、製造中の時間を節約する。結果的に、ディスプレイ用の周辺光をもたらすための発光ダイオード回路を含む装置の製造プロセスはより一層効率的になる。
【０００９】
細長い大きさを有する平面は、長さ方向及び幅方向を有するよう定められ、長さ方向は、幅方向よりも少なくとも１０倍大きい。可撓な部分を有する平面は、平面の他の部分がより可撓であるか、全く同様に可撓であるか、より少なく可撓であるか、或いは、全く可撓でないことを暗示する。
【００１０】
可撓プリント回路板上に取り付けられるドライバは、周辺光環境内での変革であると考えられるべきである。ドライバは、比較的小さな接続部に接続される必要がある比較的小さな出力部を有し、これらの比較的小さな大きさは、過去においては、可撓プリント回路板上に配置されるのが不可能であると考えられた。ドライバは、例えば、光出力制御及び／又は色制御及び／又は個々の発光ダイオード回路毎の強度制御のために、幾つかのそれぞれの発光ダイオード回路を個別に駆動するための幾つかのそれぞれの出力部を有する。
【００１１】
ドライバ及びメモリの組み合わせは、例えば、５つの発光ダイオード回路が個別に制御されることを可能にする。５よりも少ない或いは５よりも多い発光ダイオード回路は排除されない。
【００１２】
ある実施態様によれば、プリント回路板は、周辺光をもたらすための１つ又はそれよりも多くの発光ダイオードを含む各発光ダイオード回路によって定められる。各発光ダイオード回路は、例えば、６つの発光ダイオードを含む。６よりも少ない或いは６よりも多い発光ダイオードは排除されない。
【００１３】
他の回路構成は、例えば、１つ又はそれよりも多くの更なるドライバ、１つ又はそれよりも多くの更なるメモリ、１つ又はそれよりも多くのセンサ、１つ又はそれよりも多くのコネクタ、又は、１つ又はそれよりも多くのプロセッサ等を更に含み得る。
【００１４】
ある実施態様によれば、プリント回路板は、その可撓性が可撓な部分よりも少ない、発光ダイオード回路構成によって覆われるプリント回路板の領域によって定められ、少なくとも１つの方向は、第１の方向を含み、且つ、第１の方向と異なる第２の方向を含み、第１の方向は、プリント回路板が長さ方向において湾曲し得るよう、長さ方向であり、第２の方向は、プリント回路板が幅方向において湾曲し得るよう、幅方向である。回路によって覆われる領域の可撓性がより少ないのが普通である。２つの異なる方向における可撓性は、設計の自由度を更に増大し、より多くの可能性を更にもたらし、より大きな公差を更に可能にし、製造中の時間を更に節約する。長さ方向において湾曲を作製することは、長さ方向が平面の一部を形成するときに、長さ方向の一方の側が平面内に留まり得ると同時に、他方の側が平面から外に移動し得ることを暗示する。幅方向において湾曲を作製することは、幅方向が平面の一部を形成するときに、幅方向の一方の側が平面内に留まり得ると同時に、他方の側が平面から外に移動し得ることを暗示する。
【００１５】
ある実施態様によれば、プリント回路板は、プリント回路板が巻き上げられことを可能にし、或いは、縁部又は隅部の周りで曲げられることを可能にする長さ方向における湾曲、及び、プリント回路板が更なる縁部又は更なる隅部の周りで曲げられることを可能にする幅方向における湾曲によって定められる。
【００１６】
ある実施態様によれば、プリント回路板は、ネジ用の如何なる孔も含まないプリント回路板によって定められる。好ましくは、接着式方法で、プリント回路板を装置部分又はある構造に取り付け得る。
【００１７】
本発明の第２の特徴によれば、上記に定められたプリント回路板を含む装置が提供される。
【００１８】
ある実施態様によれば、装置は、ディスプレイを更に含み、各発光ダイオード回路が、周辺光をもたらすために１つ又はそれよりも多くの発光ダイオードを含む装置によって定められる。そのような装置は、例えば、テレビジョン受信機又はディスプレイ装置又はスクリーン装置である。
【００１９】
ある実施態様によれば、当該装置は、第１の装置部分の第１の平面に取り付けられるプリント回路板の第１の片と、第２の装置部分の第２の平面に取り付けられるプリント回路板の第２の片とによって定められ、第１及び第２の片は、相互接続部を介して相互接続される別個の片である。ここで、可撓性は、主として、容易な取付けのために用いられる。
【００２０】
ある実施態様によれば、当該装置は、第１の装置部分の第１の平面に取り付けられるプリント回路板の第１の片と、第２の装置部分の第２の平面に取り付けられるプリント回路板の第２の片とによって定められ、第１及び第２の平面は、異なる平面であり、プリント回路板の第３の片が、第１及び第２の平面の一方から第１及び第２の平面の他方に進む湾曲を成し、第３の片は、第１及び第２の片の間の中間片である。ここで、可撓性は、容易な取付けのために用いられ、異なる平面の間に湾曲を作製するためにも用られる。
【００２１】
各場合において、第１及び第２の装置部分は、同じ装置部分であってよく、或いは、異なる装置部分であってもよい。
【００２２】
ある実施態様によれば、当該装置は、装置部分の第１の側部に取り付けられるプリント回路板の第１の片と、前記装置部分の第２の側部に取り付けられるプリント回路板の第２の片とによって定められ、第１及び第２の側部は、異なる側部であり、プリント回路板の第３の片が、装置部分の縁部又は隅部の周りを進む湾曲を成し、第３の片は、第１及び第２の片の間の中間片である。ここで、可撓性は、容易な取付けのために用いられ、装置部分の周りに湾曲を作製するためにも用いられる。
【００２３】
ある実施態様によれば、当該装置は、周辺光を方向付けるために可動構造に取り付けられるプリント回路板の少なくとも一部によって定められる。手動で或いは機械によって可動構造を移動し得る。プリント回路板全体を可動構造に取り付け得る。その場合には、可撓性は、主として、容易な取付けのために使用される。或いは、プリント回路板の一部を可動構造に取り付け、プリント回路板の他の部分を他の可動又は非可動構造に取り付け得る。その場合、可撓性は、容易な取付けのために用いられ、両方の構造を（可撓に）架橋するためにも用いられる。
【００２４】
ある実施態様によれば、当該装置は、周辺光を反射させるための反射器を具備しない装置によって定められる。好ましくは、周辺光を反射し且つ案内するための反射器は回避されるべきであり、プリント回路板の可撓性が前記案内のために使用されるべきである。
【００２５】
ある実施態様によれば、当該装置は、装置部分又は構造に接着的な方法で取り付けられるプリント回路板によって定められる。
【００２６】
ある実施態様によれば、当該装置は、ロールである装置によって定められ、プリント回路板は、ロール上に巻き上げられる。
【００２７】
ある実施態様によれば、少なくとも８メートルのプリント回路板を含むロールによって定められる。そのようなロールは、最大で８メートル（今日）又はそれ以上（将来）のプリント回路板を含み得る。
【００２８】
装置及び方法の実施態様は、プリント回路板の実施態様と対応し得る。
【００２９】
発光ダイオード回路構成を備える従来技術の非可撓（剛的）プリント回路板が０．４６メートルの最大長さを有すること、並びに、テレビジョン受信機が０．４６メートルと異なり、０．４６メートルの倍数でないのが普通であり、且つ、２倍よりも大きいこともある幅及び高さを有することが着想であり得る。
【００３０】
プリント回路板が細長い大きさを有さなければならず、少なくとも１つの方向に少なくとも部分的に可撓でなければならず、且つ、発光ダイオード回路と、ディスプレイ用の周辺光をもたらすために発光ダイオード回路を個別に駆動するためのドライバと、発光ダイオード回路のうちの少なくとも１つの発光ダイオード回路のための色情報を記憶するためのメモリとを含む、発光ダイオード回路構成を含まなければならないことが基本的着想であり得る。
【００３１】
ディスプレイ用の周辺光をもたらすための発光ダイオード回路を含む装置の比較的効率的な製造プロセスのためにプリント回路板を提供する問題は解決された。細長い大きさ及び可撓性は、設計の自由度を増大し、より多くの可能性をもたらし、より大きな公差を可能にし、且つ、製造中の時間を節約する。
【００３２】
更なる利点は、発光ダイオードピッチを一層削減し得ること（２つの隣接する発光ダイオードの間の距離の減少は、ホットスポットの数及び／又は大きさが減少され或いは回避されさえするという事実の故に、周辺光の品質を向上する）、最大で０．４６メートルの非可撓プリント回路板毎に１つのドライバ（１つのメモリ、１つのセンサ）の代わりに、０．４６メートルよりも長い大きさであるのが普通な可撓プリント回路板毎に１つのドライバ（１つのメモリ、１つのセンサ）が必要とされること、可撓プリント回路板が剛的プリント回路板よりも薄いこと（例えば因数３）、並びに、必要とされるコネクタがより少ないことであり得る（減少された数の構成部品は、製造コストを削減し、３／４側面周辺光を備えるテレビジョン受信機は、剛的な板を相互接続するために、１４／２０のコネクタを必要とし、その場合、可撓板の使用は、これらの部材を６個、２個のコネクタに減少し、コネクタをゼロにさえ減少する）。
【００３３】
本発明のこれらの及び他の特徴は、以後に記載される実施態様を参照して明瞭に解明されるであろう。
【図面の簡単な説明】
【００３４】
【図１】可撓プリント回路板を含むロールを示す説明図である。
【図２】可撓プリント回路板を示す説明図である。
【図３】屈曲した可撓プリント回路板を示す説明図である。
【図４】装置の背部にある頂部及び側部発光ダイオードを示す概略図である。
【図５】装置の側部にある側部及び頂部発光ダイオードを示す概略図である。
【図６】両面周辺光を備える装置を示す概略図である。
【図７】三面周辺光を備える装置を示す概略図である。
【図８】四面周辺光を備える装置を示す概略図である。
【図９】２つの周辺光源を備える装置のための第１の視聴者経験を示す概略図である。
【図１０】２つの周辺光源を備える装置に関する第２の視聴者経験を示す概略図である。
【図１１】４つの周辺光源を備える装置に関する第３の視聴者経験を示す概略図である。
【図１２】４つの周辺光源を備える装置に関する第４の視聴者経験を示す概略図である。
【図１３】第１の従来技術のプリント回路板を備え且つ第１の可撓プリント回路板を備えるディスプレイを示す概略図である。
【図１４】第２の従来技術のプリント回路板を備え且つ第２の可撓プリント回路板を備えるディスプレイを示す概略図である。
【図１５】可動構造に取り付けられた可撓回路板を備えるディスプレイを示す概略図である。
【発明を実施するための形態】
【００３５】
図１には、回路を備える可撓プリント回路板１を含むロール１０１が示されている。
【００３６】
図２には、発光ダイオード回路２と、ドライバ、メモリ、センサ、コネクタ、プロセッサ等のような他の回路構成３とを含む、可撓プリント回路板１が示されている。
【００３７】
図３には、発光ダイオード回路２と、ドライバ、メモリ、センサ、コネクタ、プロセッサ等のような他の回路構成３とを含む、屈曲した可撓プリント回路板１が示されている。
【００３８】
ドライバは、例えば、ディスプレイ用の周辺光をもたらすために、発光ダイオード回路２を個別に駆動する。メモリは、例えば、発光ダイオード回路２のうちの少なくとも１つのための色情報を記憶する。発光ダイオード回路２の各々は、周辺光を提供するための１つ又はそれよりも多くの発光ダイオードを含む。
【００３９】
図４には、頂部方向（左側）及び側部方向（右側）に放射する１つ又はそれよりも多くの発光ダイオードを含む発光ダイオード回路２が示されている。発光ダイオード回路２は、可撓プリント回路板１上に配置され、可撓プリント回路板は、装置１００の背部に配置されたメタル４に取り付けられている。
【００４０】
図５には、側部方向（左側）及び頂部方向（左側）に放射する１つ又はそれよりも多くの発光ダイオードを含む発光ダイオード回路２が示されている。発光ダイオード回路２は、可撓プリント回路板１上に配置され、可撓プリント回路板は、装置１００の（右）側部に配置されたメタル４に取り付けられている。
【００４１】
図６には、両面周辺光を備える装置１００が示されている。プリント回路板の片(piece)１１が装置の左側部に垂直に配置され、プリント回路板の片１２が装置の右側部垂直に配置されている。片１１及び１２は、ケーブル４１及び４２を介してインターフェース板４３に接続されている。インターフェース板４３は、例えば、ビデオプロセッサ４３及び電源４５に更に結合されている。
【００４２】
図７には、三面周辺光を備える装置１００が示されている。プリント回路板の第１の片１１（１２）が、左（右）側部で垂直に、第１の装置部分の第１の平面に取り付けられ、プリント回路板の第２の片１３（１４）が、頂部で水平に、第２の装置部分の第２の平面に取り付けられている。第１及び第２の片１１及び１３（１２及び１４）は、相互接続板のようなインターコネクト４６（４７）を介して相互接続される別個の片である。片１１及び１２は、ケーブル４１及び４２を介してインターフェース板４３に接続されている。
【００４３】
図８には、四面周辺光を備える装置１００が示されている。可撓プリント回路板の第１の片１１（１２）が、左（右）側部で垂直に、第１の装置部分の第１の平面に取り付けられ、可撓プリント回路板の第２の片１３（１４）が、頂部で水平に、第２の装置部分の第２の平面に取り付けられている。可撓プリント回路板の第３の片１５が、第１及び第２の平面の一方から第１及び第２の平面の他方に進む湾曲を成している。第３の片１５は、第１及び第２の片１１及び１３（１２及び１４）の間の中間片である。同様に、可撓プリント回路板の第１の片１１（１２）は、左（右）側部で垂直に、第１の装置部分の第１の平面に取り付けられ、可撓プリント回路板の第４の片１７（１８）は、底部で水平に、第３の装置部分の第３の平面に取り付けられている。可撓プリント回路板の第５の片１９（２０）が、第１及び第３の平面の一方から第１及び第３の平面の他方に進む湾曲を成している。第５の片１９（２０）は、第１及び第４の片１１及び１７（１２及び１８）の間の中間片である。この実施態様では、片と板との間のケーブルが回避され且つ異なる片の間の相互接続が回避されるよう、片１７及び１８はインターフェース板４３に直接的に接続されている。
【００４４】
図９には、プリント回路板の片２１及び２２のような２つの周辺光源を備える装置１００に関する第１の視聴者経験(viewer experience)が示されている。装置１００は、ディスプレイ５を更に含む。片２１は壁の上にハロー(halo)３１を生成し、片２２は壁の上にハロー３２を生成する。中央位置にいる視聴者２００は、ディスプレイ５を観ると同時に、ハロー３１の一部（この部分は角度５１によって定められる）を楽しみ、ハロー３２の一部（この部分は角度５２によって定められる）を楽しむ。
【００４５】
図１０には、プリント回路板の片２１及び２２のような２つの周辺光源を備える装置１００に関する第２の視聴者経験が示されている。装置１００は、ディスプレイ５を更に含む。片２１は壁の上にハロー３１を生成し、片２２は壁の上にハロー３２を生成する。非中央位置で左側に寄り過ぎて座る視聴者２００は、ディスプレイ５を観ると同時に、ハロー３１の（今やより大きい）部分（この部分は角度５１よりも大きい角度５３によって定められる）を楽しむが、ハロー３２の如何なる部分（この部分は視聴者にとってゼロに近い値を有し且つ角度５２よりも一層小さい角度５４によって定められる不可視部分である）をも楽しまない。
【００４６】
図１１には、プリント回路板の片２１−２４のような４つの周辺光源を備える装置１００に関する第３の視聴者経験を示している。装置１００は、ディスプレイ５を更に含む。片２１は（背）壁の上にハロー３１を生成し、片２２は（背）壁の上にハロー３２を生成し、片２３は（左側）壁のハロー３３を生成し、片２４は（右側）壁の上にハロー３４を生成する。片２３及び２４は、視聴者２００に向かう光を更に生成する。非中央位置で左側に寄り過ぎて座るこの視聴者２００は、ディスプレイ５を観ると同時に、ハロー３１及びハロー３３の（一部の）と片２３から直接的に来る光との組み合わせ（この組み合わせは角度５５によって定められる）を楽しみ、ハロー３４と片２４から直接的に来る光との組み合わせ（この組み合わせは角度５６によって定められる）を楽しむ。よって、より多くの周辺光源を導入させることによって、周辺光を楽しみ得るための視聴者の位置の重要性はより少なくなる。
【００４７】
図１２には、可撓プリント回路板の片２１−２６のような４つの周辺光源を備える装置１００に関する第４の視聴者経験が示されている。装置１００は、ディスプレイ５を更に含む。可撓プリント回路板の第１の片２１（２２）が装置部分の第１の側部に取り付けられ、可撓プリント回路板の第２の片２３（２４）が装置部分の第２の側部に取り付けられている。第１及び第２の側部は、異なる側部である。可撓プリント回路板の第３の片２５（２６）は、装置部分の縁部又は隅部の周りを進む湾曲を成している。第３の片２５（２６）は、第１及び第２の片２１及び２３（２２及び２４）の中間片である。片２１及び２３及び２５は（左側）壁の上にハロー３５を生成し、片２２及び２４及び２６は（背）壁の上にハロー３６を生成する。片２３及び２４は、視聴者２００に向かう光を更に生成する。中央位置から左に寄り過ぎて座るこの視聴者２００は、ディスプレイ５を観ると同時に、ハロー３５（の一部）と片２３から直接的に来る光との組み合わせ（この組み合わせは角度５７によって定められる）を楽しみ、ハロー３６（の一部）と片２４から直接的に来る光との組み合わせ（この組み合わせは角度５８によって定められる）を楽しむ。
【００４８】
片２１及び２３の間の角度は、片２２及び２４の間の角度と異なり、好ましくは、これらの角度を選択し且つ／或いは適合し得る。よって、可撓プリント回路板は、その環境に対する装置の位置を考慮しながら、環境の構造を考慮しながら、且つ／或いは、視聴者の位置を考慮しながら、最適な視聴者経験を作り出すために、これらの角度が異なって選択されることを可能にし、且つ／或いは、手動で及び／又は図１５に示されるような機械によって調節されることを可能にする。
【００４９】
図１３には、第１の従来技術のプリント回路板６を備え（左側）且つ第１の可撓プリント回路板１を備える（右側）、ディスプレイ５が示されている。第１の従来技術のプリント回路板６は剛的であり、屈曲不能であり、第１の可撓プリント回路板１は、比較的薄いディスプレイ５に有利により良好に整合するよう曲げられている。両方のプリント回路板１及び６の各々は、発光ダイオード回路２を含む。
【００５０】
図１４には、第２の従来技術のプリント回路板６を備え（左側）且つ第２の可撓プリント回路板１を備える（右側）ディスプレイ５が示されている。図１３に示される第１のプリント回路板と比較すると、図１４では、プリント回路板１及び６の各々は、２つの発光ダイオード回路２（頂部放射）を含む。可撓な第２のプリント回路板１が屈曲されているという事実の故に、（唯一の同じ種類の発光ダイオード、例えば、頂部放射ダイオードのみ、或いは、例えば、側部放射ダイオードのみが使用されるという仮定の下で）２つの方向の周辺光を生成し得るが、従来技術のプリント回路板６は一方向のみにおいて周辺個を生成し得る。
【００５１】
図１３及び図１４では、可撓プリント回路板１を長さ方向に且つ／或いは幅方向に曲げ得る。よって、可撓プリント回路板１は、長さ方向における発光ダイオード回路２の１つのシリアルストリング(serial string)を含み、且つ／或いは、例えば、長さ方向における第１のシリアルストリングと、長さ方向における第２のシリアルストリングとを含み得る。両方のシリアルストリングは、幅方向に曲げられるときに両方のストリング異なる方向に光を生成するよう、幅方向において互いに隣り合って（平行に）配置される。
【００５２】
図１５には、可動構造６１及び６２に取り付けられた可撓プリント回路板の片２７及び２８を備えるディスプレイ５が示されている。螺旋ストリング等のような他の種類の構造も排除されない。モータ７１及び７２が構造を作動し得る。代替的に、構造を手動で作動し得る。片２７及び２８を部分的に又は全体的にシフトすることによって、及び／又は、片２７及び２８の形状を部分的に又は全体的に変更することによって、片２７及び２８を移動し得る。
【００５３】
可撓プリント回路板は、剛的プリント回路板よりも小さい大きさ（減少された幅、減少された厚み）であることができ、反射器及びコネクタが回避されることを可能にし、それは周辺光システムの大きさを更に減少し得る。可撓プリント回路板は、取付けのためのネジを必要としない。結果的に、プリント回路板内のネジ用の孔は最早不要であり、それは発光ダイオードピッチが減少されることを可能にし、メタルキャリア又はヒートシンク内のネジ用の孔は最早不要である（より良好な熱管理）。高出力発光ダイオードの代わりに超低出力発光ダイオード回路をより小さなピッチで使用し得るので（より良好な熱管理）、側部放射発光ダイオードも使用し得る。ＤＣ／ＤＣ変換器を必要とせずに、並びに、追加的な電圧が生成されることを要せずに、標準的な２４ボルト供給電源で、６つの直列に接続された発光ダイオードを使用することができ、それは多数のインターフェース線を削減する。光出力制御及び／又は色制御及び／又は個々の（一群の）発光ダイオード毎の強度制御のために、幾つかの出力部を有する１つのドライバが幾つかの（一群の）発光ダイオードを個別に駆動し得る。異なるユニットをアドレス付けするために、例えば、シリアル周辺インターフェースバスを使用し得る。このようにして、「画素化」された周辺光が作り出され、それによって、周辺光の画素／配置セル毎にシリアル周辺インターフェースバスを介して光出力及び／又は色及び／又は強度を制御し得る。
【００５４】
第１の選択肢によれば、第１のロールは、発光ダイオードのみを備える第２、第３、及び、第４の片が後続する、ドライバと発光ダイオードとを備える第１の片の可撓プリント回路板のような、第１の群の単一の電気ユニットを含む。第２の選択肢によれば、第２のロールは、第２の片を隅部に配置し且つ屈曲し得るよう発光ダイオードを具備しない第２の片が後続する、ドライバと発光ダイオードとを備える第１の片の可撓プリント回路板のような、第２の群の単一の電気ユニットを含み、第２の片の場合には、発光ダイオードは必要とされず、発光ダイオードのみを備える第３及び第４の片が後続する。第３の選択肢によれば、第３のロールは、各群が第１又は第２の群と同じである、幾つかの第３の群を含む。第４の選択肢によれば、第４のロールは、それらのうちの少なくとも一部が、第１、第２、及び、第３の群等と異なる、幾つかの第４の群を含む。よって、１つの目的のために、或いは、異なる目的のために、１つのロールを生成し得る。
【００５５】
要約すると、横長の(oblong)大きさのプリント回路板１が発光ダイオード回路構成２，３を含む。プリント回路板１の部分は、少なくとも１つの方向に可撓である。プリント回路板の部分は、製造効率を向上するために、少なくとも１つの方向において可撓である。好ましくは、プリント回路板１は、長さ方向及び幅方向において湾曲し、ネジ用の孔を必要としない。発光ダイオード回路構成２，３は、発光ダイオードを備える発光ダイオード回路２と、ディスプレイ５に周辺光をもたらすよう発光ダイオード回路２を個別に駆動するためのドライバのような他の発光ダイオード回路構成３とを含み得る。プリント回路板１を含む装置１００は、ディスプレイ５を更に含み得る。そのような装置１０１は、例えば、テレビジョン受信機／ディスプレイ装置／スクリーン装置である。周辺光を方向付けるために、手動で／機械によって移動可能な構造６１，６２にプリント回路板を取り付け得る。装置１００はプリント回路板１を巻き上げるためのロール１０１であり得る。
【００５６】
本発明を図面及び前記の記載中に例示し且つ記載したが、そのような例示及び記載は例証的であり且つ例示的であると考えられるべきであって、制限的であると考えられるべきではない。本発明は開示の実施態様に限定されない。例えば、異なる開示の実施態様の異なる部分が組み合わされて新しい組み合わせになる実施態様において本発明を動作することが可能である。
【００５７】
図面、本記載、及び、付属の請求項の検討から、当業者は開示の実施態様に対する他の変形を理解し得る。請求項において、「含む」という言葉は他の素子又はステップを排除せず、不定冠詞の使用は複数を排除しない。単一のプロセッサ又は他のユニットが請求項中に列挙される幾つかの品目の機能を充足し得る。特定の手段が相互に異なる従属項において引用されているという単なる事実は、これらの手段の組み合わせを有利に使用し得ないことを示さない。他のハードウェアと共に或いは他のハードウェアの一部として供給される光記憶媒体又はスリッドステート媒体のような適切な媒体の上にコンピュータプログラムを記憶し／分配し得るが、インターネット又は他の有線又は無線通信システムを介してのように他の形態においても分配し得る。請求項中の如何なる参照記号も範囲を限定すると解釈されてはならない。
【図１】
0005832994.tif 000002
【図２】
0005832994.tif 000003
【図３】
0005832994.tif 000004
【図４】
0005832994.tif 000005
【図５】
0005832994.tif 000006
【図６】
0005832994.tif 000007
【図７】
0005832994.tif 000008
【図８】
0005832994.tif 000009
【図９】
0005832994.tif 000010
【図１０】
0005832994.tif 000011
【図１１】
0005832994.tif 000012
【図１２】
0005832994.tif 000013
【図１３】
0005832994.tif 000014
【図１４】
0005832994.tif 000015
【図１５】
0005832994.tif 000016